(57)【特許請求の範囲】
【請求項１】
倍率の変化と結合して、スキャナの画像データを補償する方法であって、
複数のフォトセンサ素子に関する第１の補償値を決定するステップと、
複数のフォトセンサ素子に関する第２の補償値をプリスキャン較正プロセスの一部として決定するステップと、
前記第１の補償値と前記第２の補償値との間の差を計算するステップと、
画像のラインを走査して画素情報を発生するステップと、
前記第１の補償値を前記画素情報に適用するステップと、
前記第１の補償値が適用された後、前記画素情報をスケーリングして所定数の画素値を生じさせるステップと、
前記差を前記スケーリングされた画素情報に適用するステップと、
を備えて成る方法。
【請求項２】
前記第１の補償値がフォトセンサの感度の関数である、請求項１に記載の方法。
【請求項３】
前記第２の補償値がフォトセンサの感度、照明の均一性、および光路の透明性の関数である、請求項１に記載の方法。
【請求項４】
前記差が、フォトセンサの感度以外の変数の関数である、請求項１に記載の方法。
【請求項５】
スケーリングがデジタルフィルタリングによって行われる、請求項１に記載の方法。
【請求項６】
前記第１の補償値が前記スキャナ内の不揮発性メモリに記憶される、請求項１に記載の方法。
【発明の詳細な説明】
【０００１】
【発明の属する技術分野】
本発明は、コピー機、ファクシミリ装置およびコンピュータ用スキャン技術に係り、特に、イメージスキャナによって用いられる光学システムにおけるリアルタイムで変化する倍率を補償するスキャナの倍率変化補償方法に関する。
【０００２】
【従来の技術】
イメージスキャナはドキュメント上若しくは写真上の可視イメージまたは透明な媒体におけるイメージを、コンピュータによって複写、保存または処理に適した電子的な形式に変換する。イメージスキャナは単独の装置でも、コピー機の一部、ファクシミリ機の一部または多目的装置の一部でもよい。反射式イメージスキャナ（ｒｅｆｌｅｃｔｉｖｅ  ｉｍａｇｅ  ｓｃａｎｎｅｒ）は、一般に、制御された光源を有しており、光線がドキュメントの表面で反射されて、光学系を介し、感光性手段（ｐｈｏｔｏｓｅｎｓｉｔｉｖｅ  ｄｅｖｉｃｅ）のアレイ上に照射される。感光性手段は受光した光の強度を電気信号に変換する。例えば、透明イメージスキャナは写真のポジティブスライドフィルムのような透明なイメージを通過した光を、光学系を介して感光性手段のアレイ上に照射する。
【０００３】
【発明が解決しようとする課題】
一般に、イメージスキャナのコストを低減する必要がある。高価な構成要素の１つとして、ドキュメント上のラインをフォトセンサアレイ上に集束するために用いる光学系がある。しかし、低価格のレンズを設計すると、環境の変化、特に温度の変化および機械的な動作の影響を受けやすい。特に、低価格のプラスチックレンズは、より高価な光学ガラスレンズと比較して温度の影響を受けやすい。一般に、イメージスキャナは、かなりの熱を放射するランプを有している。また、コピー機および多目的装置は、紙の上にトナーを溶融定着させるまたはインクを乾燥させるためのヒータを有する。走査要求を受ける前は、ランプおよびヒータはオフまたは低電力スタンバイ状態となっているが、走査中は、イメージスキャナの内部温度がかなり変化する可能性がある。さらに、走査中にスキャナの光学システムは移動する。温度の変化および機械的な動作により、走査中に光学系の倍率はわずかに変化する可能性がある。走査中に倍率が変化すると、走査方向に対して平行なドキュメント上のイメージの直線状のラインまたはエッジは、生成された走査イメージにおいて曲がりが生じる場合がある。
【０００４】
スキャナは、一般に、フォトセンサが一次元配列されたアレイを用いる。感度はフォトセンサごとに異なる。走査前に均一な反射率を有する較正ストリップ（ｃａｌｉｂｒａｔｉｏｎ  ｓｔｒｉｐ）を走査することによって、個々のフォトセンサのそれぞれの感度を較正する。該較正は不均一な照度に対しても補償を行い、レンズまたはミラー上の塵または指紋等の光路上の小さな障害物または欠陥に対して補償することもできる。例えば、個々のフォトセンサの小さなグループが、プリスキャン較正中にレンズ上の塵の微粒子によって部分的に遮られた光を受光する。倍率が変化すると、その塵の微粒子の影響を受けたフォトセンサのグループの感度が変化する。しかしながら、走査前に適切に較正された個々のフォトセンサは、倍率が変化した後、不適正に較正される可能性がある。その結果、生成された走査イメージに縞が生じる可能性がある。
【０００５】
本発明は、上記事情に鑑みてなされたものであり、倍率の変化をリアルタイムで検出し、その倍率の変化を補償すること目的とする。
【０００６】
【課題を解決するための手段】
本発明に係るフォトセンサアレイは、走査されるイメージラインの外側の領域から光を受光するフォトセンサを有する。走査方向に平行な直線状のハイコントラストなエッジまたはパターンの境界を有する倍率補償ターゲットが、走査中のイメージのエッジに沿って提供されている。倍率補償ターゲットは、白い背景の中の黒のエッジ、またはフォトセンサが受光する光を遮る不透明な障害物等による光の反射率または光の強度を検出可能な段(step)である。好ましくは、本発明に係るシステムは、公称走査温度において２つの倍率補償ターゲット間の光を受光するフォトセンサの期待値(expected number)である、所定の数値Ｎを有する。また、数値Ｎは、プリスキャン較正手続き中または走査前のある別の機会のときに決定することもできる。倍率補償ターゲットを走査することによって、光の強度の段における効果的なフォトセンサの位置が走査中に制御される。光の強度の段におけるフォトセンサの位置が変化すると、フォトセンサからのデータは、フィルタリング（デシメート(decimate)，補間(interpolate)）処理されて、一定の画素数Ｎを供給する。
【０００７】
感度補償データの一部は個々のフォトセンサの関数であり、倍率が変化すると、感度補償データの一部は異なるフォトセンサに適用される必要がある。解決方法の一例は、スキャナを組立てる前にフォトセンサアレイの感度を較正し、生成された感度補償データを、組立てられた製品内のフォトセンサアレイと共に設置された不揮発性メモリに格納することである。フォトセンサアレイは走査の直前にさらに較正され、工場における補償データとプリスキャンにおける補償データとの間の差が、デジタルフィルタリング処理によって得られた画素数Ｎに適用される。
【０００８】
【発明の実施の形態】
図１は、本発明の一実施形態に係る倍率較正ターゲットを有するスキャナの構成を示す側面図である。図１において、スキャナは透明なプラテン１００を有する。走査のために、プラテン１００上にドキュメント１０２の表面を下にして配置する。ランプ１０４はドキュメント１０２の表面上の走査ライン１０６に光を照射する。破線で示された光線１０８は光線の経路を示している。光線１０８は３つのミラー１１０，１１２，１１４によって反射され、レンズシステム（以下、レンズと称す）１１６を通過してフォトセンサアレイ１１８上に照射される。ランプ１０４、ミラー１１０，１１２，１１４、レンズ１１６およびフォトセンサアレイ１１８は、走査中のドキュメントに対して移動する、図示しないキャリッジ内に設けられている。図１の例は、ミラーを使用して光線の経路を屈折させることにより、可動式キャリッジをより小さくしている。しかし、本発明の目的においてミラーは必要ではない。反射式ドキュメントスキャナ（ｒｅｆｌｅｃｔｉｖｅ  ｄｏｃｕｍｅｎｔ  ｓｃａｎｎｅｒ）が、本発明に係る他の実施形態として説明可能なように、本発明は透明なイメージのためのスキャナにも同等に適用可能である。
【０００９】
また、図１には、倍率補償ターゲット１２０，１２２（図２では別々に示す）が示されている。倍率補償ターゲット１２０，１２２は、プラテン１００の下部に図示されているが、本発明においてはプラテンの上部、キャリッジの上部または一ミラーに配置することが可能であり、また、走査ライン１０６とフォトセンサアレイ１１８との間の光路のいずれかの場所で、別の構成要素とすることもできる。また、図１に、個々のフォトセンサの感度の較正および不均一な照度に対する補償を行うために用いる、フォトセンサ感度較正ターゲット１２４を示す。なお、フォトセンサ感度較正ターゲット１２４の位置は、図１に示す位置と異なっていてもよい。
【００１０】
図２は、ドキュメント１０２およびプラテン１００を除いた、図１に示すスキャナの構成を示す上面図である。レンズ１１６は、走査ライン１０６の幅を有するイメージを、フォトセンサアレイ１１８上にフォトセンサの列幅より狭い幅のイメージに縮小する。図２において、倍率補償ターゲット１２０のエッジ２０２からの光線２００および倍率補償ターゲット１２２のエッジ２０６からの光線２０４である２つの光線２００，２０４は、図１に示すミラー１１０，１１２，１１４等によって屈折され、フォトセンサアレイ１１８上に照射される。光線２００，２０４は、図１で光線１０８として示す光路を進む。初期較正中に、スキャナコントローラ（図示せず）は、最初に、周知の一様な反射率を有するフォトセンサ感度較正ターゲット１２４を走査する。好ましくは、フォトセンサ感度較正ターゲット１２４は、図２に示すように、倍率補償ターゲット１２０，１２２の内部のエッジ２０２，２０６を越える長さとする。倍率補償ターゲット１２０，１２２は、走査方向に対して平行な反射率の段を有し、ターゲット間に正確に固定された空間に設けられている。ランプの光の強度は、走査中に変化する可能性があり、プラテン１００の１つのエッジに沿って光の強度較正ターゲットを有するスキャナが知られている。また、倍率補償ターゲット１２０，１２２の一方または両方は、ランプ強度較正ターゲットとして利用することもできる。
【００１１】
図３は、図１および図２に示されたレンズ１１６およびフォトセンサアレイ１１８を示す上面図である。図３は、レンズの数学モデルを表し、実際の光線の軌跡を示すことを意図していない。また、レンズ１１６によって形成されるイメージの位置は、最初はフォトセンサアレイ１１８の表面上である。走査中に、スキャナコントローラは、個々のフォトセンサのどれが、図１および図２に示されている倍率補償ターゲット１２０，１２２から得られる光の強度の段に対応するかを決定する。なお、フォトセンサアレイ１１８によって検出される光の強度の段は、いくつかのフォトセンサに広がっていてもよく、それによって、中心点または他のしきい値を定めるプロセスを用いて、倍率補償ターゲット１２０，１２２のエッジ２０２，２０６に対応する単一のフォトセンサを決定することができる。フォトセンサアレイ１１８の個々のフォトセンサは、順に番号が付されているものとする。図３において、光の強度の段の１つに対応する光線２００は、フォトセンサＮ１に照射される。同様に、光線２０４は、フォトセンサＮ４に照射される。Ｎ４はＮ１＋１より大きいものとすると、フォトセンサＮ１とフォトセンサＮ４との間のフォトセンサの数は、Ｎ４−Ｎ１−１個である。すなわち、ドキュメント上のイメージから情報を得るフォトセンサがＮ４−Ｎ１−１個あり、他のすべてのフォトセンサは、倍率補償ターゲット１２０，１２２またはスキャナの内部部品によって反射された光を受光する。
【００１２】
好適には、走査ライン１０６に沿ったドキュメント上のイメージに対し、本来の光学的なスキャナ画素とフォトセンサ要素(photosensor element)とが１対１の対応をする。スキャナによって他の装置に供給されるイメージは、本来の光学的な画素に対応する解像度とは異なる有効な解像度を有していることもある。スキャナコントローラまたは別のコンピュータは、デジタルフィルタリング処理を用いてイメージ上の距離単位毎の画素数を減少させる（デシメーション(decimation)と呼ばれる）ことによって、例えば、保存および処理要件(processing requirement)を縮小する、またはスキャナ画素間で補間して、イメージ上の距離単位毎の画素数を増加させる。本発明では、ある固定数(fixed number)のスキャナ画素を提供するためにデジタルフィルタリング処理が用いられ、その結果、スキャナ画素とフォトセンサ要素とが１対１の対応をしない。
【００１３】
図３において、レンズ１１６の倍率は、レンズの半径、レンズの厚み、レンズの屈折率およびレンズの位置（対象距離）に影響される。４つのパラメータすべてが、温度の変化および湿度の変化によって変化する可能性があるが、特に、温度の変化によってレンズの屈折率は変化する。一般に、ガラスは温度の上昇に従って屈折率が大きくなり、プラスチックは温度の上昇に従って屈折率が小さくなる。図３に示す単純なレンズにおいて、温度の上昇に従って屈折率が小さくなる場合、光はあまり屈折せず、光線２００は破線３００で示すように屈折し、光線２０４は破線３０２で示すように屈折する。また、温度の上昇に従って焦点距離が長くなり、実線３０４で示すようにフォトセンサアレイ１１８の後ろにより大きいイメージが形成される。フォトセンサアレイ１１８が実線３０４まで移動することができる場合、最終的により大きいイメージとなる。しかし、フォトセンサアレイ１１８がレンズに対して固定されている場合、フォトセンサアレイ１１８の表面により小さい焦点の外れたイメージが形成される。この小さい焦点の外れたイメージは、フォトセンサＮ２からフォトセンサＮ３にわたる。したがって、温度の上昇によって、倍率補償ターゲット間の光を検出するフォトセンサの数は、Ｎ４−Ｎ１−１個からＮ３−Ｎ２−１個に減少する。図３は、温度の上昇に従って屈折率が小さくなる材料を有する単純な単一レンズを示している。一般に、スキャナの光学システムは、収束（ポジティブ）レンズ面および発散（ネガティブ）レンズ面の両方を有する複雑な一連の構成要素を備えるため、最終的に温度の上昇に従って倍率が縮小または拡大する可能性がある。また、倍率が変化するに従って焦点距離も変化する。しかし、小口径、テレセントリック素子または他の周知の光学技術を用いて、システムが焦点距離の変化（被写界深度(depth of field)の増加）に比較的反応しないようにすることができる。
【００１４】
好ましくは、スキャナシステムは、所定の数値Ｎの個数のフォトセンサを有する。該数値Ｎは、公称温度における倍率補償ターゲット１２０，１２２の光の強度の段の間を通過する光を受光する、フォトセンサの期待値と等しい。例えば、数値Ｎは、Ｎ４−Ｎ１−１個の期待値でもよい。あるいは、数値Ｎは、Ｎ＝Ｎ４−Ｎ１−１によって設定され、プリスキャンプロセス中に決定することができる。なお、フォトセンサＮ４およびフォトセンサＮ１は、走査前にまたはドキュメントイメージの走査ラインに対して決定される。本発明では、倍率補償ターゲット間の走査ライン上のイメージにより照射される画素数であるスキャナ画素数が変化する場合、スキャナはスキャナ画素を電子的にフィルタリング処理することによって、走査中に厳密に画素数Ｎの出力を生成する。
【００１５】
上述したように、初期較正中に、フォトセンサ感度較正ターゲット１２４を用いて、個々のフォトセンサの感度を較正し、不均一な照度を補償する。フォトセンサ較正方法の一例は、Ｗｅｂｂ氏他の米国特許第５，２８５，２９３号公報に開示されており、本発明では、該公報が開示するすべての内容を引用する。フォトセンサ感度較正ターゲットは、均一な反射率を有するように設計されている。走査ラインは、フォトセンサ感度較正ターゲット上に配置されており、光の強度は、個々のフォトセンサの各々によって測定される。個々のフォトセンサのアナログ出力は、個々のフォトセンサの特性、スキャナのランプによるフォトセンサ感度較正ターゲット上への不均一な光の照射、塵若しくは他の汚れによるランプからの光の部分的な遮断、または塵若しくは他の汚れによる較正ターゲットからの反射光の部分的な遮断により変化する可能性がある。個々のフォトセンサからの信号について、増幅器の利得が調整されるまたは他の電子信号経路パラメータが調整されることによって、スキャナは、実際のフォトセンサ出力が変化しても、個々のフォトセンサについてのフォトセンサ感度較正ターゲットから反射される光に対し、同じデジタル光強度値（ｄｉｇｉｔａｌ  ｉｎｔｅｎｓｉｔｙ  ｖａｌｕｅ）を提供する。
【００１６】
前記Ｗｅｂｂ氏他の公報において、デジタル補償値は、個々のフォトセンサに割当てられている。しかし、例えば光路が塵等により部分的に遮られている場合およびスキャナ画素がデジタルフィルタリング処理されることにより異なる数の出力画素数を生成する場合、最終的に生成されるイメージに不要な縞が生じる可能性がある。例えばミラー上の、初期較正中に番号Ｘを付された単一のフォトセンサ（以下、フォトセンサＸと称す）に対する光を部分的に遮る塵の微粒子について考える。デジタル補償値がフォトセンサＸに割当てられており、それによりフォトセンサＸからのアナログ信号は適切に修正される。倍率が変化すると、塵の微粒子は他のいくつかのフォトセンサ、例えばフォトセンサＸ＋１への光を遮る可能性があるため、フォトセンサＸに割当てられたデジタル補償値およびフォトセンサＸ＋１に割当てられたデジタル補償値が不適当となり、生成されたイメージに可視的な異常が生じる可能性がある。
【００１７】
上述した例において、フォトセンサＸはフォトセンサＸ＋１より感度が高いものとする。レンズ倍率が変化しても、この固有のフォトセンサの感度の差は変化しない。したがって、感度差に対する補償を個々のフォトセンサと関連したままにする必要がある。しかし、上述したように、照度の差または光路が部分的に遮られることに対する補償を、倍率の関数とする必要がある。一方法を以下に説明する。制御された均一な光源および制御された塵の無い環境における、フォトセンサアレイに対する感度の補償を工場較正として定める。これらの工場補償値を、スキャナ内の不揮発性メモリに格納する。通常のスキャナの使用中は、フォトセンサ感度較正ターゲットはプリスキャン較正のために使用され、工場補償値とスキャナによるプリスキャン補償値との差を別に記録する。そして、デジタルフィルタリング処理によってＮ個の画素を生成した後、工場補償値とプリスキャン補償値との差を画素値（ｐｉｘｅｌ  ｖａｌｕｅ）に適用する。各画素に対し、補償全体は、デジタルフィルタリング処理した後に、単一フォトセンサ要素が適当な画素値に適用された補償差と結合された工場補償値を備える。なお、「差」という単語は、文字通りの減算を意味しない。一般に、補償値は、増幅器の利得を電気的に変更するために用いられる。そして、補償の全体は、直列に接続された２つの増幅器の利得の変更を有する。第１の利得の変更は固有のフォトセンサ感度を補償し、第２の利得の変更はスキャナシステム全体の付加的な不均一性を補償する。
【００１８】
図４は、本発明の一実施形態に係る倍率補償を行うシステムにおける信号処理を示すブロック図である。センサアレイ４００は、例えば電荷結合素子（ｃｈａｒｇｅ−ｃｏｕｐｌｅｄ−ｄｅｖｉｃｅｓ）などのフォトセンサの列である。工場較正中に、不揮発性メモリ４０２の値とセンサアレイ４００の個々のフォトセンサ要素とが１対１の対応をするように、感度補償値が不揮発性メモリ４０２に格納される。センサアレイ４００の列からの電荷は増幅器４０４に順次移動する。各電荷について、不揮発性メモリ４０２内の対応する数値入力（ｎｕｍｅｒｉｃａｌ  ｅｎｔｒｙ）は、Ｄ／Ａ変換器４０６によって電圧または電流に変換され、生成された電圧または電流は増幅器４０４の利得を制御するために用いられる。増幅器４０４からの一連のアナログ出力は、Ａ／Ｄ変換器４０８によってデジタル数値に変換される。
【００１９】
走査中、倍率補償ターゲット（１２０，１２２）上の反射率の段のエッジ（２０２，２０６）の間を通過する光を受光するフォトセンサ要素に対応する出力の数はＭ（以下、出力Ｍと称す）であり、該出力Ｍは、プリスキャン中に決定される倍率補償ターゲット（１２０，１２２）のエッジ（２０２，２０６）の間の画素数Ｎとは異なる。Ａ／Ｄ変換器４０８の一連の数値出力は、要素４１０（図４中では調整手段と記す）によって適切な出力Ｍとなるように減少される（不要な出力（ｕｎｗａｎｔｅｄ  ｏｕｔｐｕｔｓ）を切捨てる）。また、Ａ／Ｄ変換器４０８からの出力Ｍは、デジタルフィルタリング処理され、デジタルフィルタ４１２の出力として合計Ｎ個の画素値が生成される。
【００２０】
スキャナにおける初期プリスキャン較正中にプリスキャン倍率補償値が決定され、工場補償値と該プリスキャン倍率補償値との差が、メモリ４１６に格納される。Ｎ個の補償差の値はメモリ４１６に格納される。該数値Ｎが予め決定している場合、および倍率補償ターゲット（１２０，１２２）上の反射率の段のエッジの間を通過する光を受光しているフォトセンサ要素に対応するプリスキャン画素数と該数値Ｎとが異なる場合、プリスキャン補償画素は、Ｎ個の画素を生成するためにデジタルフィルタリング処理されなければならず、メモリ４１６に格納された補償差の値は補間される画素から生じる数値Ｎに基づく。数値Ｎがプリスキャン中に決定された変数である場合、メモリ４１６に保持された補償値は数値Ｎのプリスキャン画素数に基づく。メモリ４１６の出力を使用して、デジタルフィルタ４１２の出力をスケーリングする（説明のために増幅器４１８によって示すが、計測される値はデジタル値である）。
【００２１】
図５および図６は、本発明の一実施形態に係る倍率変化に対する補償方法を示すフローチャートである。まず、個々のフォトセルの感度を決定するために工場で較正が実行される（ステップ５００）。次に、工場補償値が不揮発性メモリに格納される（ステップ５０２）。さらに、走査前にスキャナが均一な反射率のターゲットを走査する（ステップ５０４）。数値Ｎが予め決められている場合、スキャナ較正値を計算する前に、プリスキャンの画素はＮ個の画素を生成するためにフィルタリング処理される（ステップ５０６Ａ）。数値Ｎが予め決められていない場合、倍率補償ターゲットの反射率の段に対応する画素データの光の強度の段を検出することにより数値Ｎを決定する（ステップ５０６Ｂ）。次に、生成されたスキャナ補償値と元の工場補償値との差をとる（ステップ５０８）。次に、生成されたスキャナ補償値と元の工場補償値との差がメモリに格納される（ステップ５１０）。図６において、較正が完了して、ドキュメント上のイメージのラインの走査が実行される（ステップ５１２）。次に、走査された各ラインについて画素が工場補償値によって補償され、補償された画素がデジタル化される（ステップ５１４）。次に、倍率補償ターゲット間の画素の数を決定する（ステップ５１６，５１８）。次に、その倍率補償ターゲット間の画素の数と数値Ｎとを比較する（ステップ５２０）。倍率補償ターゲット間の画素の数が数値Ｎと異なる場合、画素はフィルタリング処理される（ステップ５２２）。フィルタリング処理したか否かに関わらず、補償差はＮ個の画素値に適用される（ステップ５２４）。次に、ドキュメント上のイメージの最後のラインの走査が実行されたかを判断する（ステップ５２６）。ステップ５２６において最後のラインまで走査が実行されていない場合は、ステップ５１２に戻る。一方、最後のラインまで走査が実行されている場合、システムが停止する。
【００２２】
以上の本実施形態の説明は、本発明を制限するものではない。
【００２３】
以下に本発明の実施の形態を要約する。
１．２つの倍率補償ターゲット（１２０，１２２）の少なくとも一部を有するラインを走査するステップと、
前記走査されたライン内で、前記倍率補償ターゲット（１２０，１２２）上の境界（２０２，２０６）間の画素を決定するステップと、
前記境界（２０２，２０６）間の画素数を決定するステップと、
所定の画素数となるように前記画素をデジタルフィルタリング処理するステップと、
を備えるスキャナの倍率変化補償方法。
【００２４】
２．フォトセンサ要素（１１８）のアレイにおいて、それぞれの前記フォトセンサ要素（１１８）の感度に対する第１の補償値を決定するステップと、
第１のメモリ（４０２）に前記第１の補償値を格納するステップと、
それぞれの前記フォトセンサ要素（１１８）の感度に対する第２の補償値をプリスキャン較正プロセスの一部として決定するステップと、
前記第１の補償値と前記第２の補償値との差を計算するステップと、
第２のメモリ（４１６）に前記差を格納するステップと、
前記所定の画素数に前記差を適用するステップと、
を備える上記１記載のスキャナの倍率変化補償方法。
【００２５】
【発明の効果】
以上の説明から明らかなように、本発明の方法によれば、スキャナの倍率の変化をリアルタイムに検出し、その倍率の変化を補償することができる。
【図面の簡単な説明】
【図１】本発明の一実施形態に係る倍率較正ターゲットを有するスキャナの構成を示す側面図である。
【図２】ドキュメント１０２およびプラテン１００を除いた、図１に示すスキャナの構成を示す上面図である。
【図３】図１および図２に示されたレンズ１１６およびフォトセンサアレイ１１８を示す上面図である。
【図４】本発明の一実施形態に係る倍率補償を行うシステムにおける信号処理を示すブロック図である。
【図５】本発明の一実施形態に係る倍率変化に対する補償方法を示すフローチャートである。
【図６】本発明の一実施形態に係る倍率変化に対する補償方法を示すフローチャートである。
【符号の説明】
１００  プラテン
１０２  ドキュメント
１０４  ランプ
１１０，１１２，１１４  ミラー
１１６  レンズシステム
１１８  フォトセンサアレイ
１２０，１２２  倍率補償ターゲット
１２４  フォトセンサ感度較正ターゲット
２０２，２０６  エッジ
４００  センサアレイ
４０２  不揮発性メモリ
４０４，４１８  増幅器
４０６  Ｄ／Ａ変換器
４０８  Ａ／Ｄ変換器
４１０  調整手段
４１２  デジタルフィルタ
４１６  メモリ
【図１】
0003607838.tif 000002
【図２】
0003607838.tif 000003
【図３】
0003607838.tif 000004
【図４】
0003607838.tif 000005
【図５】
0003607838.tif 000006
【図６】
0003607838.tif 000007